(57)【特許請求の範囲】
【請求項１】
ヘテロジニアス・ワイヤレス・ネットワーク（１００）を制御するための方法であって、前記ヘテロジニアス・ワイヤレス・ネットワーク（１００）は、
少なくとも１つの第１セル（１０５）に位置する複数の第１ユーザ機器（１２５Ｍ）の通信を管理する少なくとも１つの第１基地局（１１５）と、
少なくとも１つの第２セル（１１０）に位置する複数の第２ユーザ機器（１２５Ｐ）の通信を管理する少なくとも１つの第２基地局（１２０）と
を含み、
第１ユーザ機器（１２５Ｍ）ごとに、前記少なくとも１つの第１基地局（１１５）は、それぞれの第１割り当て時間インターバルに関するそれぞれの第１割り当て情報セットを提供し、
第２ユーザ機器（１２５Ｐ）ごとに、前記少なくとも１つの第２基地局（１２０）は、それぞれの第２割り当て時間インターバルに関するそれぞれの第２割り当て情報セットを提供し、
各第１割り当て情報セット及び各第２割り当て情報セットは、それぞれ、各第１ユーザ機器（１２５Ｍ）及び各第２ユーザ機器（１２５Ｐ）の通信のための送信リソースを定め、前記少なくとも１つの第２セル（１１０）は、少なくとも部分的に前記第１セル（１０５）に含まれ、前記方法は、
前記少なくとも１つの第１基地局が、前記複数の第２ユーザ機器（１２５Ｐ）のうちの少なくとも１つと恐らく干渉する第１ユーザ機器（１２５Ｍ）のセットを決定するステップ（３０５）であって、恐らく干渉する第１ユーザ機器（１２５Ｍ）の前記セットを決定する前記ステップは、
各第２割り当て情報セットを、少なくとも部分的に前記それぞれの第２割り当て時間インターバルとオーバーラップする前記第１割り当て時間インターバルを有する各第１割り当て情報セットと比較するステップと、
恐らく干渉する第１ユーザ機器（１２５Ｍ）として、割り当て情報セットの前記比較において対応が検証された各第１ユーザ機器（１２５Ｍ）を識別するステップと
を含む、ステップと、
前記少なくとも１つの第２基地局（１２０）が、前記セットのうちの恐らく干渉する第１ユーザ機器（１２５Ｍ）により送信される一義的識別子を分析するために検出時間ウィンドウを定め、前記複数の第２ユーザ機器（１２５Ｐ）と実質的に干渉する第１ユーザ機器（１２５Ｍ）のサブセットを識別するステップ（３１５）と、
前記少なくとも１つの第１基地局が、干渉を軽減するために、実質的に干渉する第１ユーザ機器（１２５Ｍ）の前記サブセットに含まれる少なくとも１つの第１ユーザ機器（１２５Ｍ）に対する前記送信リソースを修正するステップ（３２５）と
を含む、方法。
【請求項２】
請求項１に記載の方法であって、比較する前記ステップは、
各第２割り当て情報セットに含まれるスペクトル効率の低下を検出するステップと、
前記スペクトル効率の前記低下が検出された各第２割り当て情報セットを、少なくとも部分的に前記それぞれの第２割り当て時間インターバルとオーバーラップする前記第１割り当て時間インターバルを有する各第１割り当て情報セットと比較するステップと
を含む、方法。
【請求項３】
請求項２に記載の方法であって、恐らく干渉する第１ユーザ機器（１２５Ｍ）の前記セットを決定する前記ステップは、
前記ヘテロジニアス・ワイヤレス・ネットワーク（１００）内の前記少なくとも１つの第２基地局（１２０）の物理的位置情報にアクセスするステップと、
前記少なくとも１つの第２基地局（１２０）と、比較する前記ステップにおいて対応が検証された各第１ユーザ機器（１２５Ｍ）の間の距離を求めるステップと
を更に含み、恐らく干渉する第１ユーザ機器（１２５Ｍ）の前記セットを決定する前記ステップは、
恐らく干渉する第１ユーザ機器（１２５Ｍ）として、対応する距離が所定の閾値距離より小さい各第１ユーザ機器（１２５Ｍ）を識別するステップ
を更に含む、方法。
【請求項４】
請求項２又は３に記載の方法であって、恐らく干渉する第１ユーザ機器（１２５Ｍ）の前記セットを決定する前記ステップは、
管理目的で各第１ユーザ機器（１２５Ｍ）により前記少なくとも１つの第１基地局（１１５）に送信される近傍リストを分析するステップと、
恐らく干渉する第１ユーザ機器（１２５Ｍ）として、ある近傍リストを送信する各第１ユーザ機器（１２５Ｍ）を識別するステップであって、前記ある近傍リストは、前記少なくとも１つの第２基地局（１２０）に対応するエントリか、又は、前記少なくとも１つの第２基地局（１２０）からの更なる距離がある近接閾値よりも小さい物理的位置を有する、前記ヘテロジニアス・ワイヤレス・ネットワーク（１００）の更なる第１基地局及び更なる第２基地局のうちの一方若しくは双方に対応する複数のエントリを有する、ステップと
を含む、方法。
【請求項５】
請求項１から４の何れか一項に記載の方法であって、
前記少なくとも１つの第１基地局（１１５）が、一義的識別子のセットであって、各一義的識別子は、恐らく干渉する第１ユーザ機器（１２５Ｍ）の前記セットのうちの対応する恐らく干渉する第１ユーザ機器（１２５Ｍ）に関連する、一義的識別子のセットを前記少なくとも１つの第２基地局（１２０）に提供するステップと、
前記少なくとも１つの第２基地局（１２０）が、一義的識別子のサブセットであって、前記サブセット内の各一義的識別子は、前記サブセットのうちの対応する実質的に干渉する第１ユーザ機器（１２５Ｍ）に関連する、一義的識別子のサブセットを、前記少なくとも１つの第１基地局（１１５）に提供するステップと
を更に含む方法。
【請求項６】
請求項５に記載の方法であって、実質的に干渉する第１ユーザ機器（１２５Ｍ）サブセットを識別する前記ステップは、
前記少なくとも１つの第２基地局（１２０）において、対応する第１ユーザ機器（１２５Ｍ）により送信される少なくとも１つの更なる一義的識別子を検出するステップと、
前記少なくとも１つの更なる一義的識別子を、一義的識別子の前記セットのうちの各一義的識別子と比較するステップと、
前記少なくとも１つの更なる一義的識別子に関連する前記第１ユーザ機器（１２５Ｍ）により行われる通信の送信電力を示すものを測定するステップと、
実質的に干渉する第１ユーザ機器（１２５Ｍ）として、送信電力を示すものが干渉電力しきい値を超えた各決定された第１ユーザ機器を識別するステップと
を含む、方法。
【請求項７】
請求項６に記載の方法であって、前記ヘテロジニアス・ワイヤレス・ネットワーク（１００）における前記通信は、シンボル（２２０）の少なくとも１つのセットを送信することにより行われ、前記セットのうちの各シンボル（２２０）は、対応する巡回プレフィックス（２２５）に関連し、実質的に干渉する第１ユーザ機器（１２５Ｍ）のサブセットを識別する前記ステップは、
前記少なくとも１つの更なる一義的識別子の検出の失敗を認識するステップと、
前記第１ユーザ機器（１２５Ｍ）により送信されるシンボル（２２０）の前記少なくとも１つのセットのうちの各シンボル（２２０）の前記対応する巡回プレフィックス（２２５）の長さを修正して、実質的に干渉する第１ユーザ機器（１２５Ｍ）のサブセットを識別する前記ステップが容易にされるようにするステップと
を更に含む、方法。
【請求項８】
請求項７に記載の方法であって、前記少なくとも１つの更なる一義的識別子の検出の検出失敗を認識する前記ステップは、前記少なくとも１つの第２基地局により実行され、各シンボル（２２０）の前記対応する巡回プレフィックスの長さを修正する前記ステップは、前記少なくとも１つの第１基地局（１１５）により実行される、方法。
【請求項９】
請求項６から８の何れか一項に記載の方法であって、検出時間ウィンドウを定める前記ステップは、前記少なくとも１つの第１基地局（１１５）の通信と前記少なくとも１つの第２基地局（１２０）の通信とを共通の時点において同期するステップと、
各恐らく干渉する第１ユーザ機器（１２５Ｍ）に対するそれぞれの通信タイム・シフトを定める同期情報を識別するステップと、
サーチ開始時点を前記共通の時点と選択されたタイム・シフトの差として決定するステップと、
前記少なくとも１つの第２基地局（１２０）における恐らく干渉する第１ユーザ機器（１２５Ｍ）の前記セットからの通信の到着時刻を推定するステップと、
前記検出時間ウィンドウを前記開始時点と前記到着時刻の差として決定するステップと
を含み、各更なる一義的識別子を検出する前記ステップは、
前記サーチ開始時点から前記検出時間ウィンドウの間、恐らく干渉する第１ユーザ機器（１２５Ｍ）の前記セットからの通信をサーチするステップ
を含む、方法。
【請求項１０】
請求項９に記載の方法であって、同期情報を識別する前記ステップは、
前記少なくとも１つの第１基地局（１１５）が、複数のタイミング・アドバンスであって、各タイミング・アドバンスは対応する恐らく干渉する第１ユーザ機器に関連する、複数のタイミング・アドバンスを、前記少なくとも１つの第２基地局（１２０）に提供するステップ
を含む、方法。
【請求項１１】
請求項９又は１０に記載の方法であって、同期情報を識別する前記ステップは、
前記少なくとも１つの第１基地局（１１５）が、複数の通信リクエストであって、各通信リクエストは対応する恐らく干渉する第１ユーザ機器（１２５Ｍ）と関連する、複数の通信リクエストを前記少なくとも１つの第２基地局（１２０）に提供するステップ
を含む、方法。
【請求項１２】
請求項１０又は１１に記載の方法であって、サーチ開始時点を決定する前記ステップは、
各恐らく干渉する第１ユーザ機器（１２５Ｍ）のタイミング・アドバンスのうちの最大タイミング・アドバンスを前記通信タイム・シフトとして選択するステップ
を含む、方法。
【請求項１３】
請求項１０から１２の何れか一項に記載の方法であって、到着時刻を推定する前記ステップは、
更なる同期情報を識別するステップであって、該更なる同期情報は、前記複数の第２ユーザ機器（１２５Ｐ）のうちの各第２ユーザ機器（１２５Ｐ）に対するそれぞれの更なるタイミング・アドバンスを定める、ステップと、
各第２ユーザ機器（１２５Ｐ）の前記更なるタイミング・アドバンスのうちの更なる最大タイミング・アドバンスを前記到着時刻として選択するステップと
を含む、方法。
【請求項１４】
請求項９から１３の何れか一項に記載の方法であって、
前記少なくとも１つの第１基地局（１１５）の選択された遅延のタイム・シフト通信を行い、前記少なくとも１つの第２基地局（１２０）において、恐らく干渉する第１ユーザ機器（１２５Ｍ）の前記セットからの通信の到着時刻が、前記複数の第２ユーザ機器（１２５Ｐ）からの通信の更なる到着時刻と整列するようにするステップ
をさらに含む方法。
【請求項１５】
請求項９から１４の何れか一項に記載の方法であって、
前記少なくとも１つの第２基地局（１２０）の選択されたタイム・アドバンスのタイム・シフト通信を行い、前記少なくとも１つの第２基地局（１２０）において、恐らく干渉する第１ユーザ機器（１２５Ｍ）の前記セットからの通信の到着時刻が、前記複数の第２ユーザ機器（１２５Ｐ）からの通信の更なる到着時刻と整列するようにするステップ
をさらに含む方法。
【請求項１６】
請求項６から１４の何れか一項に記載の方法であって、前記複数の第１ユーザ機器（１２５Ｍ）の一義的識別子と、前記複数の第２ユーザ機器（１２５Ｐ）の更なる一義的識別子の間の直交性を課すステップを更に含む方法。
【請求項１７】
少なくとも１つの第１セル（１０５）に位置する複数の第１ユーザ機器（１２５Ｍ）の通信を管理する少なくとも１つの第１基地局（１１５）と、
少なくとも１つの第２セル（１１０）に位置する複数の第２ユーザ機器（１２５Ｐ）の通信を管理する少なくとも１つの第２基地局（１２０）と
を含むヘテロジニアス・ワイヤレス・ネットワーク（１００）であって、
第１ユーザ機器（１２５Ｍ）ごとに、前記少なくとも１つの第１基地局（１１５）は、それぞれの第１割り当て時間インターバルに関するそれぞれの第１割り当て情報セットを提供し、
第２ユーザ機器（１２５Ｐ）ごとに、前記少なくとも１つの第２基地局（１２０）は、それぞれの第２割り当て時間インターバルに関するそれぞれの第２割り当て情報セットを提供し、
各第１割り当て情報セット及び各第２割り当て情報セットは、それぞれ、各第１ユーザ機器（１２５Ｍ）及び各第２ユーザ機器（１２５Ｐ）の通信に対する送信リソースを定め、前記少なくとも１つの第２セル（１１０）は、少なくとも部分的に前記第１セル（１０５）に含まれ、請求項１から１６の何れか一項に記載の方法を実施するように構成されたヘテロジニアス・ワイヤレス・ネットワーク（１００）。
【請求項１８】
請求項１７に記載のヘテロジニアス・ワイヤレス・ネットワーク（１００）であって、前記少なくとも１つの第１基地局（１１５）及び前記少なくとも１つの第２基地局（１２０）は、それぞれ、前記複数の第１ユーザ機器（１２５Ｍ）の一義的識別子と前記複数の第２ユーザ機器（１２５Ｐ）の更なる一義的識別子の間の直交性を課すように構成された、ヘテロジニアス・ワイヤレス・ネットワーク（１００）。
【請求項１９】
請求項１７又は１８に記載のヘテロジニアス・ワイヤレス・ネットワーク（１００）であって、前記少なくとも１つの第２基地局（１２０）は、前記複数の第１ユーザ機器（１２５Ｍ）からの通信を識別するための第１復調要素と、前記複数の第２ユーザ機器（１２５Ｐ）からの通信を識別するための第２復調要素とを含む、ヘテロジニアス・ネットワーク（１００）。
【発明の詳細な説明】
【技術分野】
【０００１】
本発明は、通信システムに関する。より詳細には、本発明は、ワイヤレス通信ネットワーク又はモバイル通信ネットワークの分野に関する。更に詳細には、本発明は、高速伝送ネットワークに関し、高速伝送ネットワークとは、いわゆる第４世代に属するワイヤレス通信ネットワークであり、ロング・ターム・エボリューション（ＬＴＥ）及びロング・ターム・エボリューション・アドバンスド（ＬＴＥ−Ａ）の一方または双方の規格に基づくネットワークを含む。
【背景技術】
【０００２】
高速伝送ネットワーク、又は単にネットワークとは、同時に様々なサービス（例えば、音声及びビデオの一方または双方のリアルタイム通信、データ転送、ウェブ・ブラウジング、放送等）を所与の数のユーザ機器（ＵＥ、例えば、携帯電話、パーソナル・デジタル・アシスタント、タブレット、パーソナル・コンピュータ等）に提供することができるものである。
【０００３】
一般的に、ネットワークは複数の基地局を含み、その各々は所与の数のＵＥの通信を管理する。以下では、限定する意図なく、用語「ｅＮｏｄｅ  Ｂ」（ｅＮＢ）（ＬＴＥ／ＬＴＥ−Ａのシステムにおいて特に用いられる）を「基地局」の同義語として用いることにする。一般的に、１つのｅＮｏｄｅ  Ｂは、１つ又は複数のセルを制御することができる。
【０００４】
一般的に、ネットワークは様々なサイズのセルを含み、それ故ヘテロジニアス・ネットワーク、又はＨｅｔＮｅｔとして識別される。特に、各セルは、マクロセル、ピコセル又は他のタイプのセルとして、そのカバーする地理的エリアのサイズに従いカテゴライズすることができる。マクロセルは、比較的大きな地理的エリア（例えば、１つ又は複数の都市のブロック等、キロメートルのオーダーの半径を有するエリア）であり、関連するｅＮＢ（通常、ＭｅＮＢとして示される）は、その中のＵＥに対する制限のないアクセスを可能とする。ピコセルは、比較的小さな地理的エリア（例えば、大きな建造物等、数百メートルのオーダーの半径を有する）であり、関連するｅＮＢ（通常、ＰｅＮＢとして示される）は、ＵＥに対する制限されたアクセス又は制限のないアクセスの双方を可能とする。
【０００５】
更にまた、ＨｅｔＮｅｔにおいて、ＭｅＮＢは、ネットワークに対する事実上連続した全体的なカバレージ・エリアを形成する規則的な手法で配置され、逆に、ＰｅＮＢ及び他のタイプのｅＮＢの一方または双方は、非常にランダムなやり方で配置される。それ故、マクロセルの内側に、１つ又は複数のピコセル及び他のタイプのセルの一方または双方が配置されることが頻繁に生じる。このようにして、１つ又は複数のピコセル及び他のセルのタイプの一方または双方がマクロセルと重なる（ｓｕｐｅｒｉｍｐｏｓｅｄ）こととなる。
【０００６】
動作において、各ＵＥは、上述したサービスにアクセスするためのダウンリンク・チャネル及びアップリンク・チャネルを介したセルとの通信を確立する（即ち、ＵＥはセルに接続される）。ダウンリンクはｅＮＢからＵＥへの通信リンクを意味し、アップリンクはＵＥからｅＮＢへの通信リンクを意味する。
【０００７】
要求される高い伝送速度を達成するために、ネットワークは直交周波数分割多重化（ＯＦＤＭ）をダウンリンク通信のために利用する。逆に、シングルキャリア周波数分割多重化（ＳＣ−ＦＤＭ）をアップリンク通信のために用い、なぜなら、ＯＦＤＭの高いピーク対平均電力比（ＰＡＰＲ）特性は、アップリンク通信のためにあまり好ましくないからである。ＯＦＤＭ及びＳＣ−ＦＤＭは、システム帯域幅を複数の直交サブキャリアに分割する。隣接サブキャリア間の間隔は固定であることができ、サブキャリアの総数はシステム帯域幅に依存することができる。システム帯域幅は、また、サブバンドに分割することができ、ここで、１つのサブバンドは、ある数の隣接サブキャリアにより形成される。
【０００８】
にもかかわらず、ダウンリンク通信は、近傍セルにより行われる同時の送信により干渉を受けることがある。逆に、アップリンク通信は、近傍セルと通信する他のＵＥにより行われる同時の送信に対して干渉を引き起こすことがある。このような干渉は、ダウンリンク及びアップリンクの双方の性能を低下させる。
【０００９】
通常、ネットワークは、通信のために周波数ダイバーシティ技法を実施する。ワイドバンド通信システム（例えば、ＬＴＥ及びＬＴＥ−Ａのシステム）の場合、周波数ダイバーシティは、信号が周波数ドメインにわたって拡散し、周波数選択性フェージング、自然干渉及びノイズに対する高い耐性を生じさせる。例えば、ＳＣ−ＦＤＭＡは、全ての利用可能なサブキャリアに情報を拡散することができ、それにより、１つ（又は更には複数）のサブキャリアに関する部分的な情報の喪失は、通信において変調された情報の喪失を必ずしも引き起こさない。
【００１０】
不幸にも、様々なタイプのセルの各々は、通常、ダウンリンクに対する対応する送信電力レベルを定め、この送信電力レベルは、近傍セル間の干渉問題を深刻にすることがある。詳細には、マクロセルは、通常、ワイヤレス通信ネットワークにおける最高ダウンリンク送信電力（例えば、２０Ｗ）を接続されたＵＥに対して課し、各ダウンリンク通信が、マクロセル全体の任意のポイントにおいて任意のＵＥに到達できるようにしている。逆に、ピコセル及び他のタイプの小さなセルの一方または双方は、より低いダウンリンク送信電力（例えば、１Ｗにまで下がる）を課し、なぜなら、それらカバレージ・エリアがマクロセルのそれよりも小さいからである。結果として、低送信電力のダウンリンク通信は、より高い送信電力のダウンリンク通信から深刻な干渉を被ることがある。
【００１１】
同様に、干渉問題は、アップリンクにおいても、マクロセル及びピコセルの異なるカバレージ・エリアの結果として生じ、電力制御システムが、そのような干渉を克服しようとアップリンク送信電力を増加させ、同じセルのアップリンク送信間の更なる干渉を潜在的に招くという事実によって悪化し、深刻な干渉シナリオを導くことがある。例えば、ピコセルを囲むマクロセルを考えてみると、ピコセルに接続されたＵＥとピコセル自身の間のアップリンク通信は、マクロセルに接続されピコセルに近いＵＥにより行われるアップリンク通信から深刻な干渉を被る可能性がある。
【００１２】
更に、アップリンクにおいてＵＥの送信電力レベルを調節するために提供される電力制御プロシージャは、そのような干渉問題を避けるために直接的には使用できない。事実、セルの電力制御システムは、同じセルに接続されたＵＥに関してのみ有効であり、一方、別のセルに接続され干渉を引き起こす任意の更なるＵＥは、その干渉の犠牲者であるセルによって電力制御できない。
【００１３】
当技術において、ＨｅｔＮｅｔにおいて生じる干渉を低減するためのソリューションが提案されており、３ＧＰＰ  Ｒ３−１２１２９９、「Ａｎａｌｙｓｉｓ  ｏｆ  Ｓｏｌｕｔｉｏｎｓ  ｆｏｒ  Ｍｉｔｉｇａｔｉｏｎ  ｏｆ  ＵＬ  Ｉｎｔｅｒｆｅｒｅｎｃｅ  ｉｎ  ＣＢ−ＩＣＩＣ」、ＴＳＧ−ＲＡＮ  ＷＧ３  ＃７６  プラハ、チェコ共和国、２０１２年５月２１日〜２５日という論文において開示されているように、ｅＮＢ及びそのｅＮＢに接続されるＵＥの送信電力を制御するための方法が考案されている。
【００１４】
更に、国際特許出願第ＷＯ  ２０１１／１５０２９６号は、向上したセル間干渉調和を有するロング・ターム・エボリューション・システムにおけるアップリンク無線リンク・モニタリングのための方法及び装置を開示している。ＨｅｔＮｅｔにおけるｅＮＢによりサービスされるＵＥデバイスのサウンディング基準信号を、近傍ｅＮＢによりサービスされる他のＵＥからのアップリンク送信による干渉と、チャネル品質情報又は物理アップリンク共用チャネルを有するＵＥでの衝突の双方を避けながら送信するための様々なオプションが提示されている。
【００１５】
更にまた、国際特許出願第ＷＯ２０１２／０４８１７４号は、タイムドメイン分割セルに対するセル間干渉調和アクションを管理するためのシステム及び方法を開示している。ある態様において、タイムドメイン分割は、ｅＮＢによる周波数ベースのセル間干渉情報（例えば、アップリンク負荷インジケータ）を近傍ｅＮＢに送るかどうかの判定、並びに、周波数ベースのセル間干渉情報（例えば、アップリンク負荷インジケータ、高干渉インジケータ及び相対的に狭帯域の送信電力のうちの１以上）を受信したことに対してとる応答的アクションとのうちの一方または双方で説明される。
【００１６】
最後に、国際特許出願第ＷＯ２０１２／０２４４５４号は、セル間干渉を制御するための装置及び方法を開示しており、この方法は、アップリンク干渉を検出及び測定するステップと、アップリンク干渉のレベルをセル間干渉調和サーバにバックホール・リンクを用いて報告するステップとを含んでいる。この装置又は方法は、測定されたアップリンク干渉のレベルを第１バックホール・リンクを通じて受信するステップと、測定されたアップリンク干渉レベルに基づき送信電力レベルを決定するステップと、第２バックホール・リンクを通じてＵＥ又はフェムトｅＮｏｄｅ  Ｂの何れかを再構成するための送信電力レベルを送るステップとを含むことができる。
【発明の概要】
【発明が解決しようとする課題】
【００１７】
出願人は、上述した既知のソリューションは、アップリンク通信における満足のいく耐干渉性を保証していないことに気付いた。
【００１８】
それ故、出願人は、ｅＮＢに接続された高送信電力ＵＥと、別のｅＮＢに接続された低送信電力ＵＥとの間に生じる干渉を少なくとも部分的に抑制することができる満足のできるソリューションを考案するという問題に対処した。
【課題を解決するための手段】
【００１９】
特に、本発明の一態様は、ヘテロジニアス・ワイヤレス・ネットワークを制御するための方法を提案する。ヘテロジニアス・ワイヤレス・ネットワークは、少なくとも１つの第１セルに位置する複数の第１ユーザ機器の通信を管理する少なくも１つの第１基地局と、少なくとも１つの第２セルに位置する複数の第２ユーザ機器の通信を管理する少なくとも１つの第２基地局とを含んでいる。更に、ヘテロジニアス・ネットワークにおいて、第１ユーザ機器ごとに、少なくとも１つの第１基地局は、それぞれの第１割り当て時間インターバルに関するそれぞれの第１割り当て情報セットを提供する。同様に、少なくとも１つの第２基地局は、第２ユーザ機器ごとに、それぞれの第２割り当て時間インターバルに関するそれぞれの第２割り当て情報セットを提供する。更にまた、各第１割り当て情報セットは及び各第２割り当て情報セットは、各第１ユーザ機器及び各第２ユーザ機器の通信のための送信リソースをそれぞれ定める。ヘテロジニアス・ワイヤレス・ネットワークにおいて、少なくとも１つの第２セルは、少なくとも部分的に第１セルに含まれる。当該方法は、次のステップを含んでいる。上記少なくとも１つの第１基地局が、複数の第２ユーザ機器のうちの少なくとも１つと恐らく干渉する第１ユーザ機器のセットを決定する。恐らく干渉する第１ユーザ機器のセットを決定する上記ステップは、次のステップを含んでいる。各第２割り当て情報セットを、それぞれの第２割り当て時間インターバルと少なくとも部分的にオーバーラップする第１割り当て時間インターバルを有する各第１割り当て情報セットと比較するステップと、恐らく干渉する第１ユーザ機器として、割り当て情報セットを比較する上記ステップにおいて対応が検証された各第１ユーザ機器を識別するステップ。この方法は、次のステップを更に含んでいる。上記少なくとも１つの第２基地局が、検出時間ウィンドウを、上記セットにおける恐らく干渉する第１ユーザ機器により送信された一義的（ｕｎｉｖｏｃａｌ）識別子を分析するために定める。当該方法は、複数の第２ユーザ機器と実質的に干渉する第１ユーザ機器のサブセットを識別するステップを含んでいる。上記少なくとも１つの第１基地局は、実質的に干渉する第１ユーザ機器のサブセットに含まれる少なくとも１つの第１ユーザ機器に対する上記送信リソースを、干渉軽減のために修正する。
【００２０】
本発明の好適な特徴は、従属請求項において定められている。
【００２１】
本発明の別の態様は、上記方法を実施するように構成されたヘテロジニアス・ワイヤレス・ネットワークを提案する。
【００２２】
本発明に従うソリューションのこれらの及び他の特徴及び利点は、本発明の一実施形態の以下の詳細な説明を読むことによってより良く理解されるであろう。本発明の一実施形態は、関連図面と共に読まれるよう、非限定的例示の目的で提供されるにすぎない。
【図面の簡単な説明】
【００２３】
【図１】ピコセルを囲むマクロセルを有するヘテロジニアス・ネットワークの一部を表す概略図である。
【図２】アップリンク通信に用いられるフレームの構造を表す概略図である。
【図３】本発明の一実施形態に従う、エボルブド・ノードＢによって、ヘテロジニアス・ネットワークにおける干渉抑制のために実行されるアクションを概略的に図解するフローチャートである。
【図４Ａ】本発明の一実施形態に従う、ヘテロジニアス・ネットワークにおいて送信されるシンボルの概略タイミング・ダイアグラムである。
【図４Ｂ】本発明の別実施形態に従う、ヘテロジニアス・ネットワークにおいて送信されるシンボルの概略タイミング・ダイアグラムである。
【発明を実施するための形態】
【００２４】
図面を参照すると、図１は、ピコセル１１０を囲むマクロセル１０５を有するヘテロジニアス・ネットワーク、又はＨｅｔＮｅｔ１００の一部を表す概略図である。
【００２５】
詳細には、マクロ・エボルブド・ノードＢ、又はＭｅＮＢ１１５は、マクロセル１０５内側の無線カバレージを提供し、一方、ピコ・エボルブド・ノードＢ、又はＰｅＮＢ１２０は、ピコセル１１０内側の無線カバレージを提供する。問題とする一例において、ピコセル１１０は、マクロセル１０５に完全に囲まれている。それ故、ピコセル１１０の内側で、ＭｅＮＢ１１５に提供される送信及びＭｅＮＢ１１５から提供される送信の一方又は双方は、ＰｅＮＢ１２０に提供される送信及びＰｅＮＢ１２０から提供される送信の一方又は双方と重なっている。
【００２６】
このようなシナリオにおいて、ＭｅＮＢ１１５に接続されたユーザ機器、又はＵＥ（以下ＭＵＥ１２５Ｍという）は、偶然ピコセル１１０の内側にも位置することがある。更に、ピコセル１１０の内側又はピコセル１１０に近いＭＵＥ１２５Ｍにより行われる送信は、ＰｅＮＢ１２０に接続されたＵＥ（以下ＰＵＥ１２５Ｐという）とＰｅＮＢ１２０の間の送信と潜在的に干渉することがある。
【００２７】
より詳細には、ＭＵＥ１２５Ｍは、経路損失（即ち、伝送伝播間のエネルギー損失）を補償し、正しく受信されるよう十分な電力レベルでＭｅＮＢ１１５に到達させるために要求されるアップリンク送信の高い電力レベルのため、ＰｅＮＢ１２０に向けて高干渉を発生させることがある。事実、ＭＵＥ１２５Ｍのアップリンク送信は、ＰｅＮＢ１２０に比較的高い電力レベルで到達する。特に、ＭｅＮＢ１１５よりもＰｅＮＢ１２０に近いＭＵＥ１２５Ｍのアップリンク送信は、ＭｅＮＢ１１５とＰｅＮＢ１２０の間の伝送経路差により、ＭｅＮＢ１１５で受信されるよりも高い電力レベルでＰｅＮＢ１２０において受信されることさえあり、なぜなら、ＰｅＮＢ１２０に到達する前にＭＵＥ１２５Ｍのアップリンク送信により失われるエネルギーは、ＭｅＮＢ１１５に到達する前に失われるエネルギーよりも小さいからである。
【００２８】
本発明の実施形態に従うソリューションにおいて、ＨｅｔＮｅｔ１００は、ＭＵＥ１２５Ｍのアップリンク送信によるＰｅＮＢ１２０での干渉をなくすか、又は少なくとも低減し、従って、ＰＵＥ１２５ＰとＰｅＮＢ１２０の間の送信（アップリンク送信）が受ける品質及びスループットを向上させるように構成される。このような利点は、ＭｅＮＢ１１５とＰｅＮＢ１２０の間で交換される情報（及び逆もまた同様に、ＰｅＮＢ１２０とＭｅＮＢ１１５との間で交換される情報）と、ＭｅＮＢ１１５で行われる適切なスケジューリング決定（以下でより詳細に説明する）とのおかげで得られるものである。
【００２９】
次に、図２を参照して、アップリンク送信において用いられるフレーム２００の典型的な構造を説明する。
【００３０】
汎用アップリンク・フレーム２００は、標準継続時間（ｄｕｒａｔｉｏｎ）Ｔｆ（例えば、Ｔｆ＝１０ｍｓ）を有している。このようなフレームは、ＴＴＩ（送信時間インターバル）としても知られている１０のサブフレーム２１０を含んでいる。一般的に、各サブフレーム２１０は、継続時間Ｔｓｆ（例えば、Ｔｓｆ＝１ｍｓ）を有しており、同様に、各々が同じ継続時間（例えば、０．５ｍｓ）を有する２つのタイム・スロット２１５を含んでいる。それ故、各フレーム２００は、２０のタイム・スロット２１５を含む構造としても考えられる。
【００３１】
各タイム・スロット２１５は、複数のシンボル２２０（即ち、送信される整数のビットを表す電磁パルス）を含むように構成されている。１つのタイム・スロット２１５内のシンボルの数Ｎは、（以下で説明するように）タイム・スロット２１５内の各シンボル２２０に関連する巡回プレフィックス（ＣＰ）の長さによって決定される。例えば、ノーマルＣＰ２２５は、タイム・スロット２１５あたり送信される７のシンボル２２０（Ｎ＝７）を決定し、一方、拡張ＣＰ２２５は、タイム・スロット２１５あたり送信される６のシンボル２２０（Ｎ＝６）を決定し、なぜなら、拡張ＣＰ２２５はノーマルＣＰ２２５に対して大きなサイズを有するからである。
【００３２】
詳細には、ＵＥ１２５Ｍ及び１２５Ｐは、送信されるデータを変調されたサブキャリアのシーケンスに変換する。最初に、変調された複素シンボルのシーケンスを形成するようにデータが変調される。このような変調された複素シンボルのキャリアは、Ｎの並列データ・ストリームに変換され、離散フーリエ変換（ＤＦＴ）がこれらデータ・ストリームに実行されてＮ個のＤＦＴシンボルが得られ、これらは、ＤＦＴ操作によって、利用可能なサブキャリアにわたって拡散される。更にまた、ＤＦＴシンボルは、周波数ドメインにおいて複素シンボルのセットが得られる、Ｍの（直交）サブキャリアのうちの１つへとマッピングすることができる。周波数ドメインにおける複素シンボルは、逆ＤＦＴ（ＩＤＦＴ）によって時間ドメインに変換することができる。その後、ＣＰが各シンボルに付加される。ＣＰは、シンボルの前に同じシンボルの最後の部分のコピーを付加する。それ故、ＣＰはシンボル間干渉（ＩＳＩ）の除去を容易にし、シンボルの終わりの部分の繰り返しは、線形畳み込みを巡回畳み込みとしてモデル化することを可能にし、巡回畳み込みは、より単純な周波数ドメイン処理を与える。
【００３３】
このとき、シンボルは送信する準備ができている。例えば、（同じ考えが汎用ＰＵＥ１２５ＰとＰｅＮＢ１２０の間の通信においても適用できるけれども）汎用ＭＵＥ１２５ＭとＭｅＮＢ１１５の間の通信を考えてみる。最初に、ＭＵＥ１２５ＭはＭｅＮＢ１１５にプリアンブル・ランダム・アクセス・チャネル（ＰＲＡＣＨ）として示される特別な信号を送って送信チャネル（即ち、通信のための物理的な伝送媒体）へのアクセスを要求し、ＭｅＮＢ１１５からの応答を待つ。ＭｅＮＢ１１５は、アップリンク・リソース（即ち、コンポーネント・キャリア、伝送帯域幅、サブフレーム及びサブキャリア等）を、選択された時間／周波数リソース（当技術においてリソース・ブロックともいう）をＭＵＥ１２５Ｍにアサインし、使用する送信フォーマットについて（スケジューリング・グラントとして示されるダウンリンク送信によって）ＭＵＥ１２５Ｍに知らせることによりスケジューリングする。続いて、ＭＵＥ１２５Ｍは、物理アップリンク共用チャネル（ＰＵＳＣＨ）及び物理アップリンク制御チャネル（ＰＵＣＣＨ）を通じてシンボルを送信することができる。詳細には、ＰＵＳＣＨは一般的なデータの送信に用いられ、一方、ＰＵＣＣＨは制御情報（例えば、チャンネル品質インジケータ（ＣＱＩ）レポート及びダウンリンクにおいて受信するデータに関するＡＣＫ／ＮＡＣＫ情報）の送信に用いられる。
【００３４】
更に、ＨｅｔＮｅｔ１００は高速通信を向上させるための更なる特徴を含むことができる。例えば、３ＧＰＰ  ＬＴＥ及びＬＴＥ−Ａの一方または双方の規格に従って動作するように構成されたＨｅｔＮｅｔ１００を考えてみる。この場合、（３ＧＰＰ  ＬＴＥ  Ｒｅｌｅａｓｅ  ８／９において説明されるような）ＨｅｔＮｅｔ１００は、キャリアをサービスするための様々なチャンネル帯域幅（例えば、１．４、３、５、１０、１５及び２０ＭＨｚの帯域幅）を、ＯＦＤＭ技法において用いられるＤＦＴ操作のサイズをスケーリングすることによりサポートすることができる。このことは、様々な地域及び国における様々なスペクトルの利用可能性を考慮した、システム配置の大きなフレキシビリティを可能にする（即ち、ＨｅｔＮｅｔ１００は、様々な地域的な通信規格に従い、調整なく又は最小の調整で動作することができる）。
【００３５】
更にまた、ＨｅｔＮｅｔ１００は、（３ＧＰＰ  ＬＴＥ  Ｒｅｌｅａｓｅ  １０において開示されるような）キャリア・アグリゲーション機能（ｆｅａｔｕｒｅ）のおかげで、システム帯域幅を所定の帯域幅サイズ（例えば２０ＭＨｚ）より上にスケーリングすることができる。特に、キャリア・アグリゲーションによって、所定の帯域幅サイズより上のシステム帯域幅を、対応する数のキャリアを同時に集約することによりサポートすることができる。例えば、１００ＭＨｚのシステム帯域幅を、各々が２０ＭＨｚの５つのキャリアを集約することによってサポートすることができる（そのような集約されるキャリアの各々は、通常、コンポーネント・キャリアとして当技術においては示される）。コンポーネント・キャリアは、隣接又は非隣接の周波数帯域に位置付けられることがある。
【００３６】
次に、図３を参照すると、この図は、本発明の一実施形態に従い、ｅＮＢ１１５及び１２０によって、ＨｅｔＮｅｔ１００のそれぞれのセル１０５及び１１０における干渉を抑制するためのアクションを概略的に図解するフローチャートである。
【００３７】
周期的に、又は代替として、ランダムに選んだ時点において、ＭｅＮＢ１１５は、どのＭＵＥ１２５ＭがＰＵＥ１２５ＰとＰｅＮＢ１２０の間のアップリンク通信に対する潜在的な干渉源（以以下、恐らく干渉するＭＵＥ１２５Ｍとして示す）であるかを決定する（３０５）。
【００３８】
次に、ＭｅＮＢ１１５は、ＰｅＮＢ１２０に、恐らく干渉するＭＵＥ１２５Ｍのリストを報告する（３１０）。
【００３９】
ＰｅＮＢ１２０は、（ＭｅＮＢ１１５から受信したリストに含まれる）恐らく干渉するＭＵＥ１２５Ｍに関する干渉測定を行い（３１５）、どの恐らく干渉するＭＵＥ１２５Ｍが実質的に干渉するＭＵＥ１２５Ｍであるかを検出する。
【００４０】
続いて、ＰｅＮＢ１２０はＭｅＮＢ１１５に、実質的に干渉するＭＵＥ１２５Ｍを含む更新されたリストを信号伝達して戻す（ｓｉｇｎａｌ  ｂａｃｋ）（３２０）。
【００４１】
ＰｅＮＢ１２０から受信したＭＵＥ１２５Ｍの更新されたリストに基づき、ＭｅＮＢ１１５は、リストにある実質的に干渉するＭＵＥ１２５Ｍに対してスケジューリングされたリソース（即ち、コンポーネント・キャリア、伝送帯域幅、サブフレーム及びサブキャリア等）を修正する（３２５）。上述のアクションを実行することにより、ＭＵＥ１２５Ｍの送信によりＰＵＥ１２５ＰとＰｅＮＢ１２０の間のアップリンク送信に対して生ずる干渉を、（詳細に説明するように）ＰｅＮＢ１２０が干渉するＭＵＥ１２５Ｍの送信電力レベルに対する制御を有さない場合ですら、抑制するか、又は少なくとも軽減することが可能である。
【００４２】
有利なことに、ＭｅＮＢ１１５及びＰｅＮＢ１２０は、専用通信インターフェース、例えば（ＬＴＥ／ＬＴＥ−Ａの規格における）Ｘ２インターフェース、により互いに通信可能である。Ｘ２インターフェースは、ｅＮＢとその近傍ｅＮＢの間で、必要なときに情報を交換するために確立することができる。典型的には、２つのｅＮＢ１１５とｅＮＢ１２０の間のＸ２インターフェースの確立は、トラフィック関連情報又は干渉関連情報を交換するために用いられる。
【００４３】
代替として、本発明の他の実施形態において、ＭｅＮＢ１１５及びＰｅＮＢ１２０はネットワーク管理ユニット（例えば、図示しないネットワーク・コントローラ）によって制御することができ、送信干渉を抑制するか、又は少なくとも低減するための全てのアクションは、そのような中央ユニットによって実行され、このユニットは、ＨｅｔＮｅｔ１００のｅＮＢ１１５及び１２０と通信するように構成され、従って、ＭｅＮＢ１１５とＰｅＮＢ１２０の間に直接通信を確立する必要はない。
【００４４】
以下では、アップリンク送信における干渉を抑制するか、又は少なくとも低減するためにＨｅｔＮｅｔ１００において実行される各アクションを、本発明の実施形態に関連した利点が十分に理解できるように更に分析する。
【００４５】
ＭｅＮＢ１１５は、どのＭＵＥ１２５ＭがＰＵＥ１２５Ｐ−ＰｅＮＢ１２０送信に対する可能性ある干渉源であるのかを決定する様々なオプションを有している。恐らく干渉するＭＵＥ１２５Ｍを決定するための第１のオプションは、ＭＵＥ１２５ＭによりＭｅＮＢ１１５に、同じＭｅＮＢ１１５と通信しているときに報告される測定値を用いるものである。
【００４６】
有利なことに、限定するわけではないが、報告される測定値は、ＨｅｔＮｅｔ１００においてネットワーク管理目的で既に用いられている、ＭＵＥ１２５ＭによりＭｅＮＢ１１５へと送信される制御信号（例えば、無線リソース制御（ＲＲＣ））に含まれている。
【００４７】
詳細には、そのような報告される測定値は、各ＭＵＥ１２５Ｍ近傍のｅＮＢのリストを含んでいる。従って、ＭｅＮＢ１１５は、どのＭＵＥ１２５Ｍが恐らく干渉するＭＵＥ１２５Ｍであるのかを、報告される測定値にリストされた近傍ｅＮＢのうちのＰｅＮＢ１２０の存在を検証することによって決定することができる。加えて、又は代替として、ＭＵＥ１２５Ｍの近傍リストにＰｅＮＢ１２０が存在しない場合に、ＭｅＮＢ１１５は、そのようなＭＵＥ１２５Ｍの何れかが恐らく干渉するＭＵＥ１２５Ｍであるかを、例えば、ある近接閾値より小さい距離に位置する他のｅＮＢを認識して、ＰｅＮＢ１２０に近くに地理的に配置されたものと知られている、ＨｅｔＮｅｔ１００の（図示していない）１つまたは複数の他のｅＮＢの近傍リストにおける存在を検証することによって、未だ決定することができる。
【００４８】
更に、ＨｅｔＮｅｔ１００計画情報（即ち、ＨｅｔＮｅｔ１００に含まれるｅＮＢ１１５及び１２０の、地理的位置、ピーク及び平均送信電力等を特徴付ける記載）を、恐らく干渉するＭＵＥ１２５Ｍを決定することを単純化するために、ＭＵＥ１２５Ｍにより報告される測定値と共に用いることが可能である。特に、ＰｅＮＢ１２０とＭｅＮＢ１１５の間の距離及びそれらのカバレージ・エリア（即ち、ピコセル１１０及びマクロセル１１５それぞれの外延）に関する情報を、恐らく干渉するＭＵＥ１２５Ｍを選択するための追加の判別基準として実質的に用いることができる。例えば、ＭｅＮＢ１１５は、最初に、ＨｅｔＮｅｔ１００における最近接ｅＮＢであるＰｅＮＢ１２０の存在を、ＭＵＥ１２５Ｍにより報告される測定値において検証するように命令されることができる。
【００４９】
更に、本発明の一実施形態において、ＭｅＮＢ１１５は、どのＭＵＥ１２５Ｍが恐らく干渉するＭＵＥ１２５Ｍであるのかの粗い決定を、タイミング・アドバンス信号等の同期情報を、上記計画情報と共同して利用することによって行うことが可能である。タイミング・アドバンスは、ＭＵＥ１２５Ｍのアップリンク送信をＭｅＮＢ１１５と同期させるために用いられる。特に、タイミング・アドバンスは、ＭＵＥ１２５ＭとＭｅＮＢ１１５の間の距離に比例する。それ故、恐らく干渉するＭＵＥ１２５Ｍとして、閾値距離より小さい（計画情報から知られる）ＰｅＮＢ１２０からの距離である各ＭＵＥ１２５Ｍを識別することが可能である。
【００５０】
なお、他のポジショニング・システムが、恐らく干渉するＭＵＥ１２５Ｍのより正確な識別を提供することがある。例えば、（各ＭＵＥ１２５Ｍにより提供することができる）グローバル・ポジショニング信号又は（ＭｅＮＢ１１５に設けることができる、図示しないポジショニング・サーバにより検出される）ポジショニング情報を用いることにより、ＭＵＥ１２５Ｍの位置を正確に知ることができ、従って、どのＭＵＥ１２５Ｍが、閾値距離より小さいＰｅＮＢ１２０（その位置は、計画情報から既知である）からの距離にある恐らく干渉するＭＵＥ１２５Ｍのであるかを検証することができる。
【００５１】
更にまた、恐らく干渉するＭＵＥ１２５Ｍを効率的に決定するために、スケジューリング・グラント等の割り当て情報セットを利用することが可能であり、この割り当て情報セットは、通信を行うための帯域幅を要求するＰＵＥ１２５ＰごとにＰｅＮＢ１２０により生成される。スケジューリング・グラントは、ダウンリンク及びアップリンク双方の送信リソースの割り当てのために用いられるダウンリンク・メッセージである。詳細には、各スケジューリング・・グラントは、様々なタイプの情報（（アサインされたリソース・ブロックの数及び周波数位置に関する）帯域幅割り当て情報、伝送スキームに関する情報（例えば、同時に送信されるストリームの数）、変調／符号化スキーム（ＭＣＳ）及び電力制御コマンド）を含んでいる。究極的には、伝送スキーム情報及びＭＣＳは、伝送の漸近スペクトル効率（ａｓｙｍｐｔｏｔｉｃ  ｓｐｅｃｔｒｕｍ  ｅｆｆｉｃｉｅｎｃｙ）（即ち、帯域幅のヘルツあたり送信可能な、１秒あたりの通信ビットの数）を決定し、一方、電力制御コマンドは、ＵＥの送信電力を決定する。知られているように、高い送信速度のＨｅｔＮｅｔ１００において、各ｅＮＢ１１５、１２０は、上述の情報をそれぞれサービスするＵＥ１２５Ｍ及び１２５Ｐに信号伝達するスケジューリング機能を実行する。特に、ＰｅＮＢ１２０により生成されるスケジューリング・グラントは、各ＰＵＥ１２５ｐによりそれらのＰｅＮＢ１２０との通信のために用いられる情報を含んでいる。それ故、ＰｅＮＢ１２０が周期的にそのようなスケジューリング・グラントをＭｅＮＢ１１５にも、タイム・スタンプ等の対応する時間割り当て情報とともに送信する場合、ＭｅＮＢ１１５は恐らく干渉するＭＵＥ１２５Ｍを識別可能である。
【００５２】
詳細には、ＰＵＥ１２５Ｐの帯域幅割り当て情報と類似の（例えば、サブフレーム及びサブキャリアに関する）帯域幅割り当て情報を有するＭＵＥ１２５Ｍは、（それぞれのタイム・スタンプにより示される時点から開始し、（例えば、ＴＴＩ、即ち、１ｍｓに等しい）スケジューリング・グラントの送信に対応する継続時間、事実上続く）それぞれの割り当て時間インターバルが（少なくとも部分的に）オーバーラップしている場合に、恐らく干渉するＭＵＥ１２５Ｍを識別可能である。言い換えると、各ＭＵＥ１２５Ｍは、類似の時間インターバルの間、任意のＰＵＥ１２５Ｐに対して割り当てられたリソースと類似のものを有する場合に、恐らく干渉するＭＵＥ１２５Ｍとして識別される。
【００５３】
本発明の一実施形態に従う、恐らく干渉するＭＵＥ１２５Ｍを決定する更なる方法は、ＭｅＮＢ１１５が、後続のスケジューリング決定にわたりＰｅＮＢ１２０によってＰＵＥ１２５Ｐに提供されるＭＣＳにおける変動（即ち、観測期間にわたり提供されるスケジューリング・グラントのシーケンス）を検出する。この情報は、（それぞれのスケジューリング・グラントにより定められた）ＰＵＥ１２５Ｐに割り当てられたリソースと共に、恐らく干渉するＭＵＥ１２５Ｍとして、ＰＵＥ１２５Ｐのうちの１つに割り当てられたリソース・ブロックに全体的に又は部分的に対応するリソース・ブロックに関し割り当てられ、ＰＵＥ１２５Ｐのうちのそのような１つに対するＭＣＳ減少（ｒｅｄｕｃｔｉｏｎ）が検出された場合に部分的に又は全体的にオーバーラップする送信時間インターバルにより特徴付けられる各ＭＵＥ１２５Ｍを識別するために用いることができる。ＭＣＳ減少は、スペクトル効率の低下を暗示し、スペクトル効率の低下は、ＰＵＥ１２５Ｐの通信のＭＵＥ１２５Ｍにより生成される干渉に対する保護を向上させるために、ＰｅＮＢ１２０により提供されるより頑健な変調スキーム及びより低い符号化レートの一方又は双方によるものである。
【００５４】
更にまた、（ＰｅＮＢ１２０によりＰＵＥ１２５Ｐに送られるスケジューリング・グラントに含まれる電力制御コマンドのシーケンスは、ＭｅＮＢ１１５により、恐らく干渉するＭＵＥ１２５Ｍを識別するために使用可能である。例えば、（上述した）割り当て情報及びＭＣＳ減少のうちの一方又は双方と結局のところ組み合わされる、ＰＵＥ１２５Ｐの送信電力の増加は、恐らく干渉するＭＵＥ１２５Ｍを識別するために用いることができる。詳細には、ＰＵＥ１２５Ｐの送信電力のある電力閾値より上への増加は、ＰＵＥ１２５Ｐのアップリンク通信が干渉を受けていることの注意となる。
【００５５】
なお、上述の恐らく干渉するＭＵＥ１２５Ｍを決定するための手法（ｅｘｐｅｄｉｅｎｔ）は、どのようにそのような決定を行うことができるかの例示に過ぎず、従って、どのようであってもの限定するものとして考えるべきではない。
【００５６】
ＭｅＮＢ１１５が恐らく干渉するＭＵＥ１２５Ｍを決定すると、ＭｅＮＢ１１５はＰｅＮＢ１２０に、そのような恐らく干渉するＭＵＥ１２５Ｍを識別するための割り当て情報（時間及び周波数の一方又は双方の情報）を送信する。例えば、ＭｅＮＢ１１５は、ＰｅＮＢ１２０に、復調基準信号（ＤＭＲＳ）に関する情報のセットを送信することができ、各々は、それぞれの恐らく干渉するＭＵＥ１２５Ｍに関連するものである。知られているように、ＤＭＲＳは送信のため、また、従ってそのような送信を行ったＭＵＥ１２５Ｍのための一義的識別子である。
【００５７】
次に、ＨｅｔＮｅｔ１００でそれぞれ送信されるシンボルの概略タイミング・ダイアグラムである図４Ａを考慮して、本発明の一実施形態に従うＨｅｔＮｅｔ１００の更なる特徴を開示する。
【００５８】
明確にするため、ＭＥＮＢ１１５及びＰｅＮＢ１２０は、ダウンリンクにおいて完璧に同期している（ＭＥＮＢ１１５とＰｅＮＢ１２０の間でダウンリンク同期信号を交換することにより、ＨｅｔＮｅｔ１００にて達成可能な条件である）と考える。言い換えると、ＭｅＮＢ１１５の（マクロ）ダウンリンク・シンボル４０５Ｍ及びＰｅＮＢ１２０の（ピコ）ダウンリンク・シンボル４０５Ｐは、（ＭＥＮＢ１１５とＰｅＮＢ１２０の双方の）ダウンリンク・フレームの開始を示す同じ時点Ｔ０で送信される。
【００５９】
そのような状況でさえ、ＰｅＮＢ１２０へと、ＭＵＥ１２５Ｍにより送信される（マクロ）アップリンク・シンボル４１０ＭとＰＵＥ１２５Ｐにより送信される（ピコ）アップリンリンク・シンボル４１０Ｐは同期しない（即ち、ＰｅＮＢ１２０でのそれぞれの到着時点は異なる）。このことは、（各ＵＥ１２５Ｍ及び１２０ＰとｅＮＢ１１５及び１２０の異なる物理的距離に依存する）異なる伝播時間と、各ｅＮＢ１１５及び１２０により全てのそれぞれのサービスするＵＥ１２５Ｍ及び１２５Ｐに課されるタイミング・アドバンス（ｔｉｍｉｎｇ  ａｄｖａｎｃｅ）とによる。詳細には、タイミング・アドバンスは、各ＵＥ１２５Ｍ、１２５Ｐに対して（アップリンク送信開始時刻に先んじる又はアップリンク送信開始時刻を遅らせることにより）シンボルのアップリンク送信を同期させるために用いられ、サービスするｅＮＢ１１５及び１２０のレシーバにて受信されるアップリンク・シンボル４０１Ｍ及び４１０Ｐが全て整列されるようにする。更にまた、そのような整列条件は、ＳＣ−ＦＤＭＡ信号の特性のおかげで、アップリンクで受信する信号の直交性を保証する。
【００６０】
ダウンリンク・シンボル４０５Ｍは、伝播時間ＴｐＭの後、意図したＭＵＥ１２５Ｍにて受信され、一方、ダウンリンク・シンボル４０５Ｐは、伝播時間ＴｐＰの後、意図したＰＵＥ１２５Ｐにて受信される。同様に、アップリンク・シンボル４１０Ｍは、伝播時間ＴｐＭの後、ＭｅＮＢ１１５にて受信され、一方、アップリンク・シンボル４１０Ｐは、伝播時間ＴｐＰの後、ＰｅＮＢ１２０にて受信される。更にまた、アップリンク・シンボル４１０Ｍは、伝播時間ＴｐＭＰの後、ＰｅＮＢ１１５においても受信される。
【００６１】
有利なことに、ＰｅＮＢ１２０が干渉するＭＵＥ１２５Ｍを識別するのを助けるために、ＭｅＮＢ１１５は、ＰｅＮＢ１２０に、各恐らく干渉するＭＵＥ１２５Ｍに関連したタイミング・アドバンスを伝達することができる。特に、ＭｅＮＢ１１５は、ＭＵＥ１２５Ｍの伝送の伝播時間（即ち、ＭＵＥ１２５ＭとＭｅＮＢ１１５の間の距離による遅延）に対処した、ＭＵＥ１２５Ｍごとのそれぞれのタイミング・アドバンスを定める。タイミング・アドバンスは、ＭＵＥ１２５Ｍからの送信をＭｅＮＢ１１５のシンボルの受信にそれらの距離の関数として同期させる。
【００６２】
詳細には、伝達されるタイミング・アドバンスのおかげで、ＰｅＮＢ１２０は、次に、検出時間ウィンドウ（アップリンク・シンボル４１０ＭがＰｅＮＢ１２０にて受信されると予想される期間である検出時間ウィンドウ）を調節して、恐らく干渉するＭＵＥ１２５Ｍに関連したＤＭＲＳを正しく受信する。一般的に、タイミング・アドバンスは、各恐らく干渉するＭＵＥ１２５Ｍの検出及び識別を容易にするために用いることができ、ＰｅＮＢ１２０によるＤＭＲＳ検出の時間精度が改善されるようにする。
【００６３】
特に、ＰｅＮＢ１２０により、ＤＭＲＳの存在を検出するために用いられる検出時間ウィンドウの開始を表す時点ｔ１は、
【００６４】
【数１】
0005974176.tif 000002
【００６５】
により計算することができ、ここで、ＴＡＭｅＮＢは、ＭｅＮＢ１１５によりＭＵＥ１２５Ｍに課され、（Ｘ２インターフェースを介して）ＰｅＮＢ１２０にも信号伝達されるタイミング・アドバンスに対応するタイム・シフト（例えば、遅延）である。
【００６６】
１より多くのＭＵＥ１２５ＭをＰｅＮＢ１２９により同じＴＴＩにおいて分析できることを考慮すると、遅延ＴＡＭｅＮＢは、
【００６７】
【数２】
0005974176.tif 000003
【００６８】
として選ぶことができ、ここで、ＫはＤＭＲＳ検出のために同じＴＴＩにおいて分析される恐らく干渉するＭＵＥ１２５Ｍの数である。
【００６９】
ＰｅＮＢ１２０により効率的に干渉するＭＵＥ１２５Ｍを検出するために用いられる検出時間ウィンドウの長さΔは、
【００７０】
【数３】
0005974176.tif 000004
【００７１】
として代わりに決定するべきであり、ここで、ＴｐＫＭＰはＫ番目のＭＵＥ１２５Ｍにより送信され（ＭｅＮＢ１１５により受信されることが意図され）ＰｅＮＢ１２０にて受信され（そしてＰＵＥ１２５Ｐのアップリンク送信に恐らく干渉する）シンボルと関連する伝播遅延である。しかし、数ＴｐＫＭＰは、ＰｅＮＢ１２０とＭＵＥ１２５Ｍの間に直接の道後作用はないため、ＰｅＮＢ１２０には知られていない。
【００７２】
にもかかわらず、そのような伝播遅延ＴｐＫＭＰの推定を、ＰｅＮＢ１２０によりＰＵＥ１２５Ｐに送られるタイミング・アドバンスを分析することによって得ることができる。好ましくは、限定するわけではないが、検出時間ウィンドウの設計は、ＰｅＮＢ１２０によりＰＵＥ１２５Ｐに送られるタイミング・アドバンスの、十分に長い観測インターバル（即ち、複数の送信フレームを含むインターバル）にわたる最大値に基づくことができる。この観測インターバルの長さは、サービスするＰＵＥ全ての可能性ある位置を含む十分な統計が得られるように十分大きいべきであり、可能性ある位置は、ピコセル１１０内の干渉するＭＵＥ１２５Ｍ（即ち、ピコセル１１０外側の干渉するＭＵＥ１２５ＭよりもＰｅＮＢ１２０に近い、最も強く干渉するＭＵＥ１２５Ｍ）が占有する位置に事実上対応する。
【００７３】
ＰｅＮＢ１２０により用いられる検出時間ウィンドウの長さΔは、従って、
【００７４】
【数４】
0005974176.tif 000005
【００７５】
として近似でき、ここで、ＴｐＫＰＰ-はＫ番目のＰＵＥ１２５Ｐにより送信されたシンボルがＰｅＮＢ１２０にて受信されるまでの伝播遅延である。
【００７６】
計算量を最小化するため、ＰｅＮＢ１２０により実行されるＤＲＭＳのサーチ・オペレーションは、このとき時間インターバル［ｔ１；ｔ１＋Δ］に制限することができ、ここで、検出時間ウィンドウの長さΔは、ＰｅＮＢ１２０にてタイミング・アドバンスの統計を集めることにより長期的に更新することができる。
【００７７】
代替として、ＭｅＮＢ１１５は、ＰｅＮＢ１２０に、恐らく干渉するＭＵＥ１２５Ｍが用いるＰＲＡＣＨに含まれる構成情報のコピーを転送することができる。そのような構成情報は、ＰｅＮＢ１２０が、関連する伝播遅延ＴｐＫＭＰ、従って判定時間ウィンドウの長さΔを推定するために用いることができる。特に、ＨｅｔＮｅｔ１００で用いられるＰＲＡＣＨはＵＥ１２５Ｍ及び１２５Ｐのアップリンク送信をそれぞれのｅＮＢ１１５及び１２０と同期するために必須の構成情報を含んでいる。事実、ＰＲＡＣＨに含まれる構成情報のコピーおかげで、ＰｅＮＢ１２０は、ＭｅＮＢ１１５により実行されるＭＵＥ１２５Ｍからの通信を事実上識別することができる。
【００７８】
本発明に従う更なる実施形態では、ＰｅＮＢ１２０は、恐らく干渉するＭＵＥ１２５Ｍと関連する伝播遅延ＴｐＫＭＰを、（ＭｅＮＢ１１５から受信する）ＰＲＡＣＨに含まれる構成情報のコピーと、ＭｅＮＢ１１６が信号伝達する恐らく干渉するＭＵＥ１２５Ｍの対応するタイミング・アドバンス情報とを一緒に用いることによって直接推定することができる。
【００７９】
本発明の一実施形態では、ＰｅＮＢ１２０は、高速フーリエ変換（ＦＦＴ、図示していない）を実行するように構成された２つの異なる動作ブロック（簡潔にするため、以下、ＦＦＴブロックとして示す）を備え、恐らく干渉するＭＵＥ１２５ＭのＤＭＲＳとＰＵＥ１２５ＰのＤＭＲＳとが同時に検出されるようにしている。詳細には、第１ＦＦＴブロックは、第１検出時間ウィンドウに関連し、ＰＵＥ１２５Ｐから来るアップリンク・シンボル４１０Ｐを検出するよう構成されており、一方、第２ＦＦＴブロックは、第２検出時間ウィンドウに関連し、ＭＵＥ１２５Ｐから来るアップリンク・シンボル４１０Ｍを検出するように構成されている。
【００８０】
ＨｅｔＮｅｔ１００において送信されるシンボルの概略タイミング・ダイアグラムが図４Ｂに示された、本発明の代替実施形態では、処理の複雑さを減少させるために、ＭｅＮＢ１１５が送信するダウンリンク・シンボルは、有利なことに、半静的（ｓｅｍｉ−ｓｔａｔｉｃ）な手法でタイム・シフト、例えば、遅延される（即ち、遅延は数日にわたり増加し、従ってＭＵＥ１２５ＭのＨｅｔＮｅｔ１００との同期を危険にさらさない）。問題の例では、ＭｅＮＢ１１５によるダウンリンク・シンボルの送信は、Ｔ０−ＴＡＭｅＮＢに等しくセットされる遅延τだけオフセットされる。ダウンリンク・シンボルに適用されるそのような遅延τは、ＰｅＮＢ１２０にて受信されるＭＵＥ１２５Ｍ及び１２５Ｐのアップリンク・シンボルを整列させる。このことは、ＭＵＥ１２５Ｍ及び１２５Ｐ双方の各ＤＭＲＳを、ＰｅＮＢ１２０で提供される１つのＦＦＴブロックで検出することを可能にする。
【００８１】
好ましくは、限定するわけではないが、自己組織化ネットワーク（ＳＯＮ）アルゴリズムをＨｅｔＮｅｔ１００にて提供し、遅延τを、ＭｅＮＢ１１５のダウンリンク・フレームに、半静的な手法で、ＨｅｔＮｅｔ１００のＭＵＥ１２５Ｍとその余の間の同期を喪失することなく自動的に適用する能力を構成することができる。例えば、ＳＯＮアルゴリズムを、ＨｅｔＮｅｔ１００のセル１０５、１１０のダウンリンク送信タイミングをモニタするよう構成することができ、遅延τの好ましい値が推定され、そのような遅延τが毎日、ＨｅｔＮｅｔ１００の、好ましくは低トラフィック期間（例えば、夜間）のダウンリンク送信に適用されるようにする。
【００８２】
一般的に、１より多くのピコセル（及び１より多くのＰｅＮＢ）を、少なくとも部分的に同じマクロセル内に配置することができる。そのような場合、各ＰｅＮＢでのシンボル送信を、ＭｅＮＢの送信をシフトすることによって同期させることができず、なぜなら、各ＰｅＮＢの通信は、通常、異なる伝播時間、それぞれのＰＵＥからの異なる物理的距離及び他のＰｅＮＢに関する異なるタイミング・アドバンスを有するからである。反対に、少なくとも部分的に同じマクロセル内に配置されたＰｅＮＢごとのタイミング・アドバンスτＰを推定することは（例えば、遅延τに対して前述したように）可能である。次に、各タイム・アドバンスτＰは、それぞれのＰｅＮＢのダウンリンク・フレームをシフトさせる（ダウンリンク・フレームに先んじる）ために用いることができ、それ故、再び、各ＰｅＮＢにてＭＵＥ及びＰＵＥのアップリンク・シンボルを整列させる。
【００８３】
なお、ＳＯＮアルゴリズムは、少なくとも部分的に同じマクロセル内に配置された複数のピコセルを含むＨｅｔＮｅｔにおいても実施できる。ＳＯＮアルゴリズムは、セルにおけるダウンリンク送信タイミングをモニタし、各ＰｅＮＢに対応するタイミング・アドバンスτＰを推定し、そのようなタイム・アドバンスτＰを、ＨｅｔＮｅｔ１００において周期的に（例えば毎日）ダウンリンク送信に、好ましくは低トラフィック期間（例えば、夜間）に適用するように構成することができる。
【００８４】
この点において、ＰｅＮＢ１２０は、ＭｅＮＢ１１５から受信した情報（例えば、ＤＭＲＳ構成パラメータ）のおかげで、どの恐らく干渉するＭＵＥ１２５Ｍが干渉の実質的な原因であるのかを、各恐らく干渉するＭＵＥ１２５Ｍの送信電力を示すものを測定して識別することができる。例えば、ＰｅＮＢ１２０は、恐らく干渉するＭＵＥ１２５Ｍから来るそのような干渉するアップリンク送信の電力を直接測定することができる。
【００８５】
各恐らく干渉するＭＵＥ１２５Ｍは、関連するＤＭＲＳの測定された電力レベル（例えば、アップリンク送信電力レベル）が所定の閾値電力レベルより大きい場合に、実質的な干渉源として識別されることになる。有利なことに、そのような閾値電力レベルは、最大干渉源電力レベルに従いセットすることができ、最大干渉源電力レベルは、ＰＵＥ１２５Ｐから来るアップリンク送信を危険にさらさない。
【００８６】
代替として、ＰｅＮＢ１２０は、各恐らく干渉するＭＵＥ１２５Ｍに関連した干渉を、信号対干渉ノイズ比（ＳＩＮＲ）を利用することにより推定することができる。ＳＩＮＲ計算は、典型的にはＰｅＮＢ１２０により実行され、ＰＵＥ１２５Ｐに対する最良の変調符号化スキーム（ＭＣＳ）が見積もられるようにする。ＭＣＳは、そのような手法で、将来の送信における成功シンボル伝送のレート（即ち、スループット）が最大化されるように選択され、ＮＢ１１５及び１２０の効率的なリソース・スケジューリングが可能になるようにする。
【００８７】
有利なことに、ＰｅＮＢ１２０は、実質的に干渉するＭＵＥ１２５Ｍを、恐らく干渉するＭＵＥ１２５Ｍの中から、各恐らく干渉するＭＵＥ１２５Ｍのアップリンク送信に関連する１つの周波数（又は複数の周波数）におけるＳＩＮＲの値が、ＰＵＥ１２５Ｐから来るアップリンク送信を危険にさらさない最小のＳＩＮＲ値より下に下がったかを検証することによって、識別することができる。この場合、ＰｅＮＢ１２０は、全ての測定される干渉が、ＭｅＮＢ１１５により信号伝達された干渉するＭＵＥ１２５Ｍによって発生すると仮定する。
【００８８】
なお、実質的に干渉するＭＵＥ１２５Ｍを決定するためにＳＩＮＲを用いることは、電力測定よりも少ない処理能力を必要とし、なぜなら、ＳＩＮＲ推定は、スケジューリング・グラントにおいて提供される最良のＭＣＳを推定するため、ＰＵＥ１２０により既に実行されているからである。逆に、電力測定は、実質的に干渉するＭＵＥ１２５Ｍを識別するために特別に実行される。しかしながら、そのようなＳＩＮＲ識別は、前述の電力レベル測定識別に比して準最適である。事実、ＳＩＮＲ測定に基づく干渉推定は、ＭｅＮＢ１１５により信号伝達された恐らく干渉するＭＵＥ１２５Ｍのうちの１つに、常に一義的に関連するはずがない。例えば、測定される干渉レベルに寄与する、ＭｅＮＢ１１５により信号伝達される恐らく干渉するＭＵＥ１２５Ｍと重なる、他の近傍ｅＮＢがサービスする他のＵＥ（図示していない）が、特に、ＰｅＮＢ１２０が少なくとも部分的に（図示しない、他のＭｅＮＢによりカバーされる）１より多くのマクロセルに含まれる場合、取り囲むマクロセル１０５の境界に近い場合、又は、他のＰｅＮＢに近い場合に、存在しうる。
【００８９】
後に、ＰｅＮＢ１２０は、実質的に干渉するＭＵＥ１２５ＭをＭｅＮＢ１１５に、実質的に干渉するＭＵＥ１２５Ｍを識別する（例えば、ＤＭＲＳ構成及び測定された電力レベルのうちの一方又は双方を含む）更新されたリストと共に、（再び、Ｘ２インターフェースを通じて）信号伝達して戻すことができる。
【００９０】
更に、ＵＥ１２５Ｍ及び１２５ＰとＨｅｔＮｅｔ１００の同期は、ＰｅＮＢ１２０により実行される後続の電力測定、特に、ＰｅＮＢ１２０の恐らく干渉するＭＵＥ１２５ＭのＤＭＲＳを識別する能力に影響を与えることに留意すべきである。それ故、同期要件を
緩和するために、ＭｅＮＢ１１５は、拡張ＣＰを、ＰｅＮＢ１２０により分析されるサブフレーム内のシンボルに対して構成することができる。詳細には、各送信されるシンボルは、意図されたレシーバにそれ自身のＣＰと等しい最大遅延で到達しなければならず、拡張ＣＰがノーマルＣＰよりも大きいために、前者は同期要件を緩和する。しかしながら、そのような再構成は、ＨｅｔＮｅｔ１００の効率に影響を与え、なぜなら、ＭｅＮＢ１１５において利用可能なリソースの数が（拡張ＣＰを用いると１スロットあたり送信できるものが６シンボルのみであるので）減るためである。
【００９１】
本発明の一実施形態に従うと、効率性のそのような損失を限定するために、別のＳＯＮアルゴリズムをＨｅｔＮｅｔ１００に提供して、サブフレームのリソースをＰｅＮＢ１２０の能力に応じて再構成するために使用し、恐らく干渉するＭＵＥ１２５ＭのＤＭＲＳを識別することができる。例えば、ＳＯＮアルゴリズムは、ＤＭＲＳ検出失敗（即ち、ＰｅＮＢ１２０が、入来アップリンク・シンボル４１０Ｍがどの恐らく干渉するＭＵＥ１２５Ｍに属するのかを識別することができないとき）を識別し、ＭｅＮＢ１１５に、対応するサブフレームを通じて送信されるシンボルに対してノーマルＣＰから拡張ＣＰへと切り替えるよう命令するように構成することができる。代替として、ＰｅＮＢ１２０は、ＤＭＲＳ検出失敗の情報をＳＯＮアルゴリズムに、又はＭｅＮＢ１１５に直接提供するように構成することができる。
【００９２】
最後に、ＭｅＮＢ１１５は、実質的な干渉源ＭＵＥ１２５Ｍに関して、後者によりＰＵＥ１２５ＰとＭＵＥ１２５Ｍの間のアップリンク送信にもたらされる干渉を抑制、又は少なくとも事実上減少させるためのアクションを行うことができる。
【００９３】
好ましくは、必須ではないが、ＭｅＮＢ１１５は、実質的に干渉するＭＵＥ１２５Ｍの伝送帯域における割り当てを変更する。例えば、ＭｅＮＢ１１５は、実質的に干渉するＭＵＥ１２５Ｍに対するリソースのスケジューリングを修正して、後者が（可能であればＰＵＥ１２５Ｐに関連するコンポーネント・キャリア／サブキャリアのセットに関して直交する）異なるコンポーネント・キャリアのセットに又は異なるサブキャリアのセットに関連するようにする。
【００９４】
なお、通信品質はＭＵＥ１２５ＭのサブキャリアとＰＵＥ１２５Ｐのサブキャリアの間の直交性により影響を受けるので、本発明の一実施形態では、ＭｅＮＢ１１５及びＰｅＮＢ１２０は、互いに素な（ｄｉｓｊｏｉｎｔ）ＤＭＲＳをＭＵＥ１２５Ｍ及びＰＵＥ１２５Ｐに対して提供することができる。有利なことに、ＭＵＥ１２５ＭのサブキャリアとＰＵＥ１２５Ｐのサブキャリアの間に直交性を与えるように、互いに素なＤＭＲＳが選択される。この手法では、セル１０５において行われるアップリンク通信とセル１１０において行われるアップリンク通信の間の干渉は、ＤＭＲＳがランダムにアサインされた場合よりも低くなる可能性がある。更に、ＰｅＮＢ１２０により実行されるＤＭＲＳ検出も、その直交性により与えられるＭＵＥ１２５ＭとＰＵＥ１２４Ｐの分離のおかげで容易にされる。
【図１】
0005974176.tif 000006
【図２】
0005974176.tif 000007
【図３】
0005974176.tif 000008
【図４Ａ】
0005974176.tif 000009
【図４Ｂ】
0005974176.tif 000010